(57)【要約】    【課題】    低コストかつ簡単な構成で、自動搬送される原稿を読取る際に冷却手段の駆動源による振動や光源の発熱による悪影響を防止して読取り動作を安定化させ、高解像度・高精度の画像品質で読取る。    【解決手段】    原稿を１枚ずつ取り込んで読取り位置に搬送する原稿搬送手段（２）と、その原稿搬送手段を駆動するための駆動源（Ｍ１）と、原稿搬送手段に搬送される原稿を読み取るために光を照射する光源の発熱による周囲温度の上昇を抑制する冷却手段（２５）に対して、駆動源の動力を伝達する動力伝達手段（Ｇ１・Ｇ２）とを備えた構成とする。【選択図】    図４
2005086494.tif 000002
【特許請求の範囲】
【請求項１】
原稿を１枚ずつ読取り位置に搬送する原稿搬送手段と、その原稿搬送手段を駆動するための駆動源と、前記原稿搬送手段により搬送される原稿を読み取るために光を照射する光源の発熱による周囲温度の上昇を抑制する冷却手段に対して、前記駆動源の動力を伝達する動力伝達手段とを備えた自動原稿搬送機構。
【請求項２】
前記冷却手段は、前記原稿搬送手段の駆動に同期して駆動されることを特徴とする請求項１に記載の自動原稿搬送機構。
【請求項３】
前記冷却手段は、送風ファンにより構成されることを特徴とする請求項１に記載の自動原稿搬送機構。
【請求項４】
原稿を１枚ずつ読取り位置に搬送する原稿搬送手段と、その原稿搬送手段を駆動するための駆動源と、前記原稿搬送手段により搬送される原稿を読み取るために光を照射する光源と、その光源の発熱による周囲温度の上昇を抑制する冷却手段とを備え、前記冷却手段は、前記駆動源により駆動されることを特徴とする画像読取り装置。
【請求項５】
前記冷却手段は、前記原稿搬送手段の駆動に同期して駆動されることを特徴とする請求項４に記載の画像読取り装置。
【請求項６】
前記冷却手段は、送風ファンにより構成されることを特徴とする請求項４に記載の画像読取り装置。
【請求項７】
前記冷却手段は、送風のための羽根部と、その羽根部に連結されたフライホイールと、前記羽根部を一方向にのみ回転させるワンウェイクラッチとを有することを特徴とする請求項４に記載の画像読取り装置。
【請求項８】
前記原稿搬送手段は、その下方に位置する原稿台の上面に対して開閉可能なように支持され、前記原稿搬送手段が閉じた状態のときに連結状態となって前記駆動源の動力を前記冷却手段に伝達可能とする駆動連結手段を更に備えたことを特徴とする請求項４に記載の画像読取り装置。
【請求項９】
前記駆動連結手段は、前記原稿搬送手段の開閉動作の際に前記原稿搬送手段と一体的に移動する前記駆動源側に配置された第１ギアと、前記冷却手段側に配置された第２ギアとを有し、前記原稿搬送手段の開閉に応じて前記第１ギア及び前記第２ギアが係合若しくは離脱することを特徴とする請求項８に記載の画像読取り装置。
【請求項１０】
前記第２ギアは、前記原稿搬送手段の開閉動作の際に前記第１ギアと係合した状態で第１ギアの移動方向に移動可能であり、前記駆動連結手段は、前記第１ギアを規制して前記第２ギアとの適正な軸拒を保持する位置決め部材を更に有することを特徴とする請求項９に記載の画像読取り装置。
【請求項１１】
前記駆動連結手段は、前記第２ギアを前記第１ギア側に向けて付勢するばねを有することを特徴とする請求項１０に記載の画像読取り装置
【請求項１２】
請求項４乃至請求項１１の何れかに記載の画像読取装置を備えた複写機。
【発明の詳細な説明】
【技術分野】
【０００１】
本発明は、冷却機能を有する自動原稿搬送機構並びにこれを備えた画像読取装置及び複写機に関するものである。
【背景技術】
【０００２】
従来の画像読取装置及び複写機においては、原稿読取りの高速化及び簡便化を図る目的で、給紙トレイにセットされた原稿束から１枚ずつ原稿を分離してプラテンガラス上の所定の読取位置に搬送するＡＤＦ(Auto Document Feeder  自動原稿搬送装置)が用いられている。このＡＤＦにより原稿が読取り面を下向きにして読取り位置に搬送されると、所定の位置に固定された光源（例えばハロゲンランプ、蛍光灯など）が点灯されて原稿の読取面に光が照射され、その反射光により読取り面の画像を光学的に読み取ることが行われている。
【０００３】
従って、ＡＤＦにより原稿の読取りを行う場合には、原稿の読取位置の近傍に配置される構成部品（例えば、光源からの光が照射されるプラテンガラス及びその周辺部品）等が、光源によって著しく加熱されるといった問題を生じていた。
【０００４】
これに対し、原稿の読取り位置の周辺を冷却するためのファンモータを設け、ＡＤＦにより原稿読取が行われている間中ファンモータを動作させて冷却する技術が知られている（例えば、特許文献１参照）。また、原稿の読取り位置の周辺を冷却するためのファンモータを設け、サーミスタにより検出された読取り位置の近傍の温度が警告温度に達した場合に、ＡＤＦの動作が終了するのを待ってファンモータを動作させ、或いは異常温度に達した場合は瞬時にして全ての動作を停止させる技術が知られている（例えば、特許文献２参照）。
【特許文献１】特開平５−１０７６５３号公報（第１図）
【特許文献２】特開平１０−１３３５２５号公報（第３図）
【発明の開示】
【発明が解決しようとする課題】
【０００５】
しかし、かかる従来の技術では以下の問題が生じる。
【０００６】
即ち、上記特許文献１に開示の技術では、原稿の読取り位置の周辺を冷却するためのファンモータが新たに必要になるので、コストの増大を招くという問題が発生していた。また、原稿読取動作中にファンモータを動作させるので、ファンモータの振動により原稿読取に悪影響を及ぼすという問題が発生していた。
【０００７】
また、上記特許文献２に開示の技術では、光源からの光が照射される原稿の読取り位置の周辺を即応的に冷却することができず、原稿の読取り位置の周辺の部品を劣化さてしまうという問題が発生していた。
【０００８】
本発明は、このような知見に基づいてなされたものであり、自動搬送される原稿を読取る際に、低コストかつ簡単な構成で冷却手段の駆動源による振動や光源の発熱による悪影響を防止して読取り動作を安定化させ、高解像度・高精度の画像品質で読取ることができる自動原稿搬送機構並びにこれを備えた画像読取装置及び複写機を提供することを目的とする。
【課題を解決するための手段】
【０００９】
上記目的を達成するために、本発明による自動原稿搬送機構は、請求項１に示すとおり、原稿を１枚ずつ読取り位置に搬送する原稿搬送手段２と、その原稿搬送手段を駆動するための駆動源Ｍ１と、原稿搬送手段により搬送される原稿を読み取るために光を照射する光源１５の発熱による周囲温度の上昇を抑制する冷却手段２５に対して、駆動源の動力を伝達する動力伝達手段Ｇ１・Ｇ２とを備えた構成とする。
【００１０】
これによると、冷却手段を原稿搬送手段と同じ駆動源により駆動するので、新たな駆動源を必要とせず、コストを低減することができる。また、原稿読取り動作中に冷却手段用に別途駆動源を動作させることがないので、冷却手段の駆動源の振動が原稿の読取りに悪影響を及ぼすということもない。従って、低コストかつ簡単な構成で、冷却手段の駆動源による振動や光源の発熱による悪影響を防止して原稿読取り動作を安定化させ、高解像度・高精度の画像品質で読取ることができる。
【００１１】
また、請求項２に示すとおり、上記冷却手段は、原稿搬送手段の駆動に同期して駆動される構成とすることができる。これにより、原稿搬送手段の駆動に伴う光源の発熱による周囲温度の上昇を即応的に抑制することができる。
【００１２】
また、請求項３に示すとおり、上記冷却手段は、送風ファンにより構成されるものとすることができる。これにより、構造が比較的簡易で冷却効率も高い送風ファンを使用するので、効率良くかつ低コストに冷却することができる。
【００１３】
更に、本発明による画像読取り装置は、請求項４に示すとおり、原稿を１枚ずつ読取り位置に搬送する原稿搬送手段と、その原稿搬送手段を駆動するための駆動源と、原稿搬送手段により搬送される原稿を読み取るために光を照射する光源と、その光源の発熱による周囲温度の上昇を抑制する冷却手段とを備え、冷却手段は、駆動源により駆動される構成とする。
【００１４】
これによると、冷却手段は原稿搬送手段と同じ駆動源により駆動されるので、新たな駆動源を必要とせず、コストを低減することができる。また、原稿読取り動作中に冷却手段用に別途駆動源を動作させることがないので、冷却手段の駆動源の振動が原稿の読取りに悪影響を及ぼすということもない。従って、低コストかつ簡単な構成で、冷却手段の駆動源による振動や光源の発熱による悪影響を防止して原稿読取り動作を安定化させ、高解像度・高精度の画像品質で画像を読取ることができる。
【００１５】
また、請求項５に示すとおり、上記冷却手段は、原稿搬送手段の駆動に同期して駆動される構成とすることができる。これにより、原稿搬送手段の駆動に伴う光源の発熱による周囲温度の上昇を即応的に抑制することができる。
【００１６】
また、請求項６に示すとおり、上記冷却手段は、送風ファンにより構成されるものとすることができる。これにより、構造が比較的簡易で冷却効率も高い送風ファンを使用するので、効率良くかつ低コストに冷却することができる。
【００１７】
また、請求項７に示すとおり、上記冷却手段は、送風のための羽根部と、その羽根部に連結されたフライホイールと、羽根部を一方向にのみ回転させるワンウェイクラッチとを有する構成とすることができる。
【００１８】
これにより、複数枚の原稿を連続搬送する際に、各原稿間などにおいて原稿搬送手段の駆動源が一旦停止するなどして間欠的に動作する場合でも、羽根部がフライホイールにより慣性力で暫く回転し続けるので一定の冷却効果を維持することができる。また、羽根部の慣性力による回転は、ワンウェイクラッチ（一方向クラッチ）により駆動源との連結が解除されて空転状態となるので、その羽根部の回転運動が駆動源に伝達されて意図せぬ搬送動作が行われることを防止することができる。
【００１９】
また、請求項８に示すとおり、上記原稿搬送手段は、その下方に位置する原稿台の上面に対して開閉可能なように支持され、原稿搬送手段が閉じた状態のときに連結状態となって駆動源の動力を冷却手段に伝達可能とする駆動連結手段を更に備えた構成とすることができる。
【００２０】
これにより、原稿搬送手段の下面が原稿台の上面に対して開閉可能な構成を有する場合でも、その開閉動作を阻害することなく、原稿搬送手段が開いた状態（即ち、原稿搬送手段が動作不能な状態）のときに、駆動源と冷却手段とを非連結状態として冷却手段を駆動させず、原稿搬送手段が閉じた状態（即ち、原稿搬送手段が動作可能な状態）のときに、駆動源と冷却手段とを連結状態として冷却手段を駆動させることができる。
【００２１】
また、請求項９に示すとおり、上記駆動連結手段は、原稿搬送手段の開閉動作の際に原稿搬送手段と一体的に移動する駆動源側に配置された第１ギアと、冷却手段側に配置された第２ギアとを有し、原稿搬送手段の開閉に応じて第１ギア及び第２ギアが係合若しくは離脱する構成とすることができる。
【００２２】
これにより、原稿搬送手段の下面が原稿台の上面に対して開閉可能な構成を有する場合でも、その開閉動作を阻害することなく、原稿搬送手段が開いた状態のときに、第１ギア及び第２ギアが離脱して冷却手段を駆動させず、原稿搬送手段が閉じた状態のときに、第１ギア及び第２ギアが係合して冷却手段を駆動させることができる。
【００２３】
また、請求項１０に示すとおり、上記第２ギアは、原稿搬送手段の開閉動作の際に第１ギアと係合した状態で第１ギアの移動方向に移動可能であり、駆動連結手段は、第１ギアを規制して第２ギアとの適正な軸拒を保持する位置決め部材を更に有する構成とすることができる。
【００２４】
これにより、原稿搬送手段の下面が原稿台の上面に対して開閉可能な構成を有する場合でも、その開閉動作を阻害することなく、原稿搬送手段が閉じた状態のときに、第１ギア及び第２ギアが適正に係合して冷却手段を駆動させることができる。また、位置決め部材により第１ギア及び第２ギアの適正な軸距を保持するので、無理な力が加わることなく第１ギアを第２ギアに確実に係合させることができる。
【００２５】
また、請求項１１に示すとおり、上記駆動連結手段は、第２ギアを第１ギア側に向けて付勢するばねを有する構成とすることができる。これにより、ばねが第２ギアを第１ギアに噛合させるべく付勢しているので、原稿搬送手段が閉じた状態において、第２ギアを第１ギアに確実に噛合させた状態で保持することができる。
【００２６】
更に、本発明による複写機は、請求項１２に示すとおり、請求項４乃至請求項１１の何れかに記載の画像読取装置を備えた構成とする。
【発明の効果】
【００２７】
本発明によれば、自動搬送される原稿を読取る際に、低コストかつ簡単な構成で冷却手段の駆動源による振動や光源の発熱による悪影響を防止して読取り動作を安定化させ、高解像度・高精度の画像品質で読取ることができる。
【発明を実施するための最良の形態】
【００２８】
以下に添付の図面を参照して本発明の構成を詳細に説明する。
【００２９】
図１は、本発明が適用された複写機の上部を示す斜視図である。この複写機１は、シート状の原稿を１枚ずつ読取り位置まで自動的に搬送するＡＤＦユニット（原稿搬送手段）２と、原稿の読取り面の画像を読取る原稿読取りユニット３と、その読取画像を記録紙上に形成するための画像形成処理を行う画像形成ユニット（図示せず）から主として構成される。ここで、ＡＤＦユニット２は、原稿台４の一端に設けられた一対の開閉具（回動軸）５によって原稿読取りユニット３と接続され、その開閉具５を支点に回動して原稿台４に対して開閉動作を行うことが可能である。原稿の自動搬送動作は、ＡＤＦユニット２が原稿台４に対して閉じた状態で行われる。
【００３０】
この複写機１において、原稿を自動搬送して読取り動作を行なわせる場合には、ＡＤＦユニット２の給紙トレイ６にセットされた原稿束から１枚ずつ原稿を分離して原稿搬送経路７ａを通して原稿読取り位置である搬送原稿読取りガラス８上に送られ、そこで読取り位置の下方に配置された光学式読取り部（図示せず）によって搬送中の原稿読取り面の画像が読み取られ、読取り後の原稿は、原稿規制板９によって原稿搬送経路７ｂに導かれ排紙部（図示せず）へと送られる。或いは、原稿の自動搬送を行わずに、ＡＤＦユニット２を開いて別の読取り位置である固定原稿読取りガラス１０上に原稿を手動で位置決めした後、光学式読取り部により読取り面を走査して画像の読取りを行うことも可能である。
【００３１】
図２は、図１に示す複写機の制御回路及び駆動系統の概略を示す模式図である。ＡＤＦユニット２には、給紙トレイ６上にセットされた原稿束から１枚づつ原稿Ａを分離する分離ローラＲ１と、分離された原稿Ａを搬送経路７に沿って搬送するための複数の搬送ローラＲ２〜Ｒ８と、それら各ローラＲ１〜Ｒ８を駆動する原稿搬送用モータ（駆動源）Ｍ１とが備えられている。また、搬送経路７の周辺には、給紙トレイ６上の原稿Ａの有無を検知するトレイセンサＳ１、原稿Ａの通過を検知して読取りタイミングを決定する読取りセンサＳ２、及び原稿Ａの排出を検知する排紙センサＳ３が設けられている。
【００３２】
原稿読取りユニット３には、ＡＤＦユニット２により搬送される原稿Ａの画像を原稿読取り位置で読み取るために原稿Ａに光を照射するハロゲンランプ（光源）１５と、そのハロゲンランプ１５を支持して走査方向に移動させるためのワイヤ１６と、その走査方向の移動の駆動源である原稿読取り用モータＭ２と、ハロゲンランプ１５の光の照射による周辺温度（周辺機器の温度を含む）の上昇を抑制するための送風ファン２５が備えられている。ハロゲンランプ１５の走査経路には、ランプ１５が原点位置（始動位置）にあることを検出する原点位置センサＳ４が設けられており、原稿を自動搬送して読取り動作を行なわせる場合には、位置計測カウンタ（図示せず）によって読取り位置まで移動したと判断されたハロゲンランプ１５は、読取り位置に静止した状態で点灯され、原稿読取り位置の原稿Ａに光を照射する。また、送風ファン２５は、駆動源ギア（第１ギア）Ｇ１及びそれに噛合する連結ギア（第２ギア）Ｇ２を介して原稿搬送用モータＭ１に接続され、ＡＤＦユニット２のローラＲ１〜Ｒ８による搬送動作に同期して駆動される。また、中央処理装置（ＣＰＵ）１８並びにそれに付帯したプログラム格納メモリ１９及び読み書き可能メモリ２０によって、モータＭ１・Ｍ２及びハロゲンランプ１５等の周辺機器が統括制御され、適性な搬送及び読取り動作が行われる。尚、図２においては便宜上省略しているが、原稿読取りユニット２では、ハロゲンランプ１５から原稿読取り位置の原稿Ａに照射された光の反射光は、複数のミラー及びレンズ等を介してイメージセンサに導かれ、原稿Ａの画像が読み取られる。
【００３３】
図３は、図１の複写機における原稿読取りユニットの詳細を示す斜視図である。原稿読取りユニット３には、原稿の読取り位置の近傍（搬送原稿読取りガラス８下方）に冷却用の送風ファン２５が取り付けられている。この送風ファン２５は、羽根部２６の回転によって原稿読取りユニット３の側方から外気を取り込みハロゲンランプ１５による周囲温度の上昇を抑制する。
【００３４】
図４は、図３の原稿読取りユニットにおける送風ファン及びその駆動系統の構成の詳細を示す図である。尚、図４においては、ＡＤＦユニットの原稿搬送用モータＭ１から駆動源ギアＧ１までの構成のみを示しており、他は省略してある。原稿搬送用モータＭ１の回転運動は、ギアＧ３〜Ｇ１及び駆動ベルト２８を介して送風ファン２５の羽根部２６に伝達される。ここで、詳細は図示しないが、モータＭ１、変速ギアＧ３、及び駆動源ギアＧ１は、ＡＤＦユニット２側に配置されており、ＡＤＦユニット２の原稿読取りユニット３に対する開閉動作においてＡＤＦユニット２と一体的に回動する。従って、ＡＤＦユニット２が原稿台４の上面に対して閉じた状態のときは、連結ギアＧ２に駆動源ギアＧ１が噛合してモータＭ１及び送風ファン２５は連結状態となり、一方、ＡＤＦユニット２が原稿台４の上面に対して開いた状態のときは、駆動源ギアＧ１が連結ギアＧ２との噛合状態から離脱してモータＭ１及び送風ファン２５は非連結状態となる。
【００３５】
連結ギアＧ２は、回動軸２９に枢支されたアーム３０に取り付けられており、そのアーム３０端部には、コイルばね３１の一端が接続されている。また、コイルばね３１の他端は、固定部材３２により原稿読取りユニット３の側部に固定されており、その引張力により連結ギアＧ２を駆動ギアＧ１側に回動させる。従って、ＡＤＦユニット２が閉じる際に、連結ギアＧ２は、駆動ギアＧ１と噛合した状態でＡＤＦユニット２の概ね開閉方向（駆動ギアＧ１の移動方向）に移動可能であり、連結ギアＧ２と噛合した状態が確実に保持される。尚、ここでは、連結ギアＧ２を移動可能な構成としたが、場合によっては、連結ギアＧ２を固定して駆動ギアＧ１を上記と同様の移動可能な構成とすることも可能である。
【００３６】
図５（ａ）、（ｂ）は、図３の送風ファンの羽根部及び駆動連結部の構成の詳細を示す図である。送風ファンの羽根部２６の回転軸には、フライホィール２７が取付けられており、原稿搬送用モータＭ１が、各原稿間などにおいて一旦停止するなどして間欠的に動作する場合でも、羽根部２６はフライホイール２７により慣性力で暫く回転し続けることができる。また、羽根部２６と連結ギアＧ２とを連結する駆動ベルト２８は、連結ギアＧ２の回転軸に取付けられたワンウェイクラッチ３５に巻き付けられており、羽根部２６が慣性力により回転する場合には、ワンウェイクラッチ３５により連結ギアＧ２との連結が解除されて羽根部２６が空転状態となり、その回転運動は原稿搬送用モータＭ１側に伝達されることはない。
【００３７】
図６は、図５（ｂ）のＸ部に示された駆動連結部の拡大図である。駆動連結部（駆動連結手段）は、駆動源ギアＧ１と、それに噛合する連結ギアＧ２と、その連結ギアＧ２を支持するべくその軸受け部（図示せず）に接続され、回動軸２９を支点に枢動可能なアーム３０と、駆動源ギアＧ１を規制して連結ギアＧ２との適正な軸拒を保持する位置決め部材４０とから主として構成される。位置決め部材４０は、連結ギアＧ２から駆動源ギアＧ１の方向へ延在し、駆動源ギアＧ１の軸受け部４１の一部に当接して駆動源ギアＧ１と連結ギアＧ２との相対位置を一定に維持する。
【００３８】
尚、図１に示すように、位置決め部材４０は、通常は原稿台４の上面から突出した状態であり、ＡＤＦユニット２が閉じる際に、その下面に設けられた開口部４２を通して駆動源ギアＧ１の軸受け部４１の一部に当接可能である。
【００３９】
図７は、図１の複写機による原稿の読取り動作手順を示すフロー図である。ここでは、複数枚の原稿を読取る場合の動作を示す。まず、読取り動作が開始されると、原稿読取り用モータＭ２が起動され（ＳＴ１０１）、原点位置センサＳ４によりハロゲンランプ１５が原点位置にあるか否かが判定される（ＳＴ１０２）。ハロゲンランプ１５の原点位置にある場合には、ランプ位置計測カウンタが計測を開始し（ＳＴ１０３）、カウンタ値が読取り位置の値であるか否かが判定される（ＳＴ１０４）。そこで、ハロゲンランプ１５が原点位置から読取り位置まで移動すると、カウンタ値が読取り位置の値であると判定されて、原稿読取り用モータＭ２が停止する（ＳＴ１０５）。
【００４０】
次に、読取り位置に配置されたハロゲンランプ１５が点灯され（ＳＴ１０６）、続いて、原稿搬送用モータＭ１が起動して原稿の搬送が開始される（ＳＴ１０７）。そこで、読取りセンサＳ２が、オン状態であるか否か（即ち、原稿が読取りタイミング決定位置に到達したか否か）が判定され（ＳＴ１０８）、原稿の到達を検知して読取りセンサＳ２がオン状態になると、原稿搬送用モータＭ１が停止する（ＳＴ１０９）。そこで、前の原稿との間隔を確保するためのタイマ計測が開始され（ＳＴ１１０）、タイマ値が予め指定した時間間隔であるか否かが判定される（ＳＴ１１１）。そこで、タイマ値が予め指定した時間間隔になった場合には、原稿搬送用モータＭ１が再び起動される（ＳＴ１１２）。ここで、原稿が一枚のみの場合など前の原稿がない場合には、上記ＳＴ１０９〜ＳＴ１１２のステップは省略可能である。
【００４１】
次に、読取りセンサＳ２が、オフ状態であるか否かが判定される（ＳＴ１１３）。読取りセンサＳ２がオフ状態になると、原稿後端の読取り位置計測タイマが計測を開始し（ＳＴ１１４）、タイマ値が、予め指定した原稿の読取り位置に相当する時間間隔であるか否かが判定される（ＳＴ１１５）。タイマ値が、予め指定した時間間隔になると、原稿後端までの読取りが終了したと判断してハロゲンランプ１５が消灯される（ＳＴ１１６）。
【００４２】
次に、原稿が排紙位置まで到達した後、排紙センサＳ３がオフ状態であるか否か（即ち、原稿が排紙位置を通過したか否か）が判定され（ＳＴ１１７）、排紙センサＳ３がオフ状態であると判定されると、更に、トレイセンサＳ１がオン状態であるか否かが判定される。トレイセンサＳ１がオン状態である場合には、次の原稿が存在すると判断して、ＳＴ１０６に戻ってハロゲンランプ１５が点灯され、上述のようなＳＴ１０６〜ＳＴ１１７の動作が再び実行される。
【００４３】
トレイセンサＳ１がオフ状態である場合には、全ての原稿の搬送が完了したと判断して原稿の排出完了計測タイマが計測を開始し（ＳＴ１１９）、タイマ値が予め指定した原稿の排出位置に相当する時間間隔であるか否かが判定される（ＳＴ１２０）。そこで、タイマ値が、予め指定した原稿の排出位置に相当する時間間隔になると、原稿搬送用モータＭ１が停止し（ＳＴ１２１）、全ての読取り動作が完了する。
【００４４】
尚、上記動作において送風ファン２５は、上記原稿搬送用モータＭ１の起動と同時に駆動され、モータＭ１が停止すると直ちに停止せずに慣性力で暫く回転し続け、ハロゲンランプ１５の発熱による周辺温度の上昇を抑制する。
【産業上の利用可能性】
【００４５】
本発明に係る自動原稿搬送機構並びにこれを備えた画像読取装置及び複写機は、自動搬送される原稿を読取る際に、低コストかつ簡単な構成で冷却手段の駆動源による振動や光源の発熱による悪影響を防止して読取り動作を安定化させ、高解像度・高精度の画像品質で読取ることができ、冷却機能を有する自動原稿搬送機構並びにこれを備えた画像読取装置及び複写機として有用である。
【図面の簡単な説明】
【００４６】
【図１】本発明が適用された複写機の上部を示す斜視図
【図２】図１に示す複写機の制御回路及び駆動系統の概略を示す模式図
【図３】図１の複写機における原稿読取りユニットの詳細を示す斜視図
【図４】図３の原稿読取りユニットにおける送風ファン及びその駆動系統の構成の詳細を示す図
【図５】図３の送風ファンの羽根部及び駆動連結部の構成の詳細を示す図
【図６】図５（ｂ）のＸ部に示された駆動連結部の拡大図
【図７】図１の複写機による原稿の読取り動作手順を示すフロー図
【符号の説明】
【００４７】
１  複写機
２  ＡＤＦユニット（原稿搬送手段）
３  原稿読取りユニット
１５  ハロゲンランプ（光源）
２５  送風ファン（冷却手段）
２６  羽根部
２７  フライホイール
２８  駆動ベルト
３１  コイルばね
３５  ワンウェイクラッチ
４０  位置決め部材
Ａ  原稿
Ｇ１  駆動源ギア
Ｇ２  連結ギア
Ｍ１  原稿搬送用モータ
Ｍ２  原稿読取り用モータ
【図２】
2005086494.tif 000003
【図５】
2005086494.tif 000004
【図６】
2005086494.tif 000005
【図７】
2005086494.tif 000006
【図１】
2005086494.tif 000007
【図３】
2005086494.tif 000008
【図４】
2005086494.tif 000009